(57)【要約】【課題】取付後の耐衝撃性に優れ、安価で、フロアマット等への装着にも適する優れたハトメの提供。【解決手段】装着対象物を挟着して相互に固着する雄体及び雌体を有し、前記雄体は、外周面に前記雌体との係合手段を有する筒状胴部と該筒状胴部の下端側全周に形成される雄側鍔部とを備え、前記雌体は、雄体の前記筒状胴部の外周面の係合手段に対応する係合手段を有する筒状脚部と該筒状脚部の上端側に雌側鍔部を備えてなるハトメにおいて、雄体の筒状胴部の上端縁から連続して内側下方へ向けて形成され前記筒状胴部と対向する内壁部を備え、該内壁部から内方向へ向けて突出する内部係止部を備えたハトメ。【選択図】図８
2014064823.tif 000002
【特許請求の範囲】
【請求項１】
装着対象物を挟着して相互に固着する雄体及び雌体を有し、
前記雄体は、外周面に前記雌体との係合手段を有する筒状胴部と該筒状胴部の下端側周上に形成される雄側鍔部とを備え、前記雌体は、雄体の前記筒状胴部の外周面の係合手段に対応する係合手段を有する筒状脚部と該筒状脚部の上端側に雌側鍔部を備えてなるハトメにおいて、
雄体の筒状胴部の上端縁から連続して内側下方へ向けて形成され前記筒状胴部と対向する内壁部を備え、
内壁部の下端側に開口し上下方向に連続する切欠部を備え、
該内壁部から内方向へ向けて突出する内部係止部を備えたことを特徴とするハトメ。
【請求項２】
内壁部における内部係止部の形成位置が高さの異なる複数の箇所に設けたことを特徴とする請求項１記載のハトメ。
【請求項３】
切欠部内にリブを有することを特徴とする請求項１又は２記載のハトメ。
【発明の詳細な説明】
【技術分野】
【０００１】
本発明は、主として雄体と雌体とが係着一体として構成される合成樹脂製のハトメに関するものである。
【背景技術】
【０００２】
大型のフロアマットは設置面との接触面積が大きいことから、人の活動によって設置位置からずれを生じることは比較的少ないが、例えば車内等に使用されるフロアマット（いわゆるカーマット）等の場合、人の活動により当該フロアマットのずれを生じやすく、その結果、アクセルペダルやブレーキペダル等の下にフロアマットが入り込み、これらの操作に影響を与えることも想定される。
このため、一般的に当該フロアマット等の生地の一部に穴を形成し、フロアマット固定具を前記穴に対して取付けることで、フロアマット等の生地を床面に対して固定することが行われる。そして、このような場合には、フロアマット等の生地に形成した穴を補強するために、ハトメが用いられる。
【０００３】
フロアマット等の生地に形成された穴を補強するためのハトメは種々のものが案出されており、例えば、金属製材料を用いた一部品からなるものや、合成樹脂材料からなるもの等がある。
【０００４】
ここで合成樹脂材料を用いたハトメは、軽量化できる点及び材料コストを低廉化できる点で優れる。その一方、金属製のものと比較して強度に課題があるともされるが、合成樹脂材料からなる雄体と雌体を組み合わせたハトメとすることによって、必要な強度を確保している。
【０００５】
このような雄体と雌体を組み合わせる際には、ハトメに関するものに限らないが、たとえば、スナップファスナー用の合成樹脂製雌型部材として、雄体が雌体から離脱しないようにするために、雌体に対して嵌入した雄体の戻り方向への負荷を阻止する必要があるところ、この点で環状溝を形成した雌体が弾性的に嵌合することで、衝撃を吸収して一定の嵌合力を保持する構成（例えば、特許文献１参照。）が公知である。
【先行技術文献】
【特許文献】
【０００６】
【特許文献１】実開昭６２−１８８２０８号公報
【発明の概要】
【発明が解決しようとする課題】
【０００７】
しかし、上記雄体及び雌体の構成をフロアマット等に形成した穴を補強するためのハトメとして上記構成を使用すると、フロアマットの毛足が前記環状溝に入り込みやすく、その結果雄体と雌体の係合に不全を生じやすい欠点があった。
【０００８】
また、一方で、樹脂材料で形成されたハトメの中央の穴に対して、フロアマット固定具のような他物を係止させたい場合に、確実に取付けられたかどうか確認を行い難いことがある。
このため、ハトメの中央の穴に対して確実に取付けられたかどうかの確認することが容易となれば更に好ましい。
【０００９】
本発明は以上の事情に鑑みてなされたものであり、取付後の耐衝撃性に優れ、安価で、フロアマット等への装着にも適する優れたハトメの提供を、発明が解決しようとする課題とする。
【００１０】
また、本発明は、取付後の耐衝撃性に優れ、安価で、フロアマット等への装着にも適し、更には、確実な取付けの確認性をより向上させることができる、優れたハトメの提供を、発明が解決しようとする課題とする。
【課題を解決するための手段】
【００１１】
本発明は、装着対象物を挟着して相互に固着する雄体及び雌体を有し、前記雄体は、外周面に前記雌体との係合手段を有する筒状胴部と該筒状胴部の下端側全周に形成される雄側鍔部とを備え、前記雌体は、雄体の前記筒状胴部の外周面の係合手段に対応する係合手段を有する筒状脚部と該筒状脚部の上端側に雌側鍔部を備えてなるハトメにおいて、雄体の筒状胴部の上端縁から連続して内側下方へ向けて形成され前記筒状胴部と対向する内壁部を備え、該内壁部から内方向へ向けて突出する内部係止部を備えたことを特徴とするハトメの提供を、課題を解決するための手段とする。
【００１２】
また本発明は、上記発明に加えて、内壁部における内部係止部の形成位置が高さの異なる複数の箇所に設けたことを特徴とするハトメの提供を、課題を解決しようとする手段とする。
【００１３】
更に本発明は、上記いずれかの発明について、切欠部内にリブを有することを特徴とするハトメの提供を、課題を解決しようとする手段とする。
【発明の効果】
【００１４】
請求項１に係る発明によれば、装着対象物を挟着して相互に固着する雄体及び雌体を有し、前記雄体は、外周面に前記雌体との係合手段を有する筒状胴部と該筒状胴部の下端側全周に形成される雄側鍔部とを備え、前記雌体は、雄体の前記筒状胴部の外周面の係合手段に対応する係合手段を有する筒状脚部と該筒状脚部の上端側に雌側鍔部を備えてなるハトメにおいて、雄体の筒状胴部の上端縁から連続して内側下方へ向けて形成され前記筒状胴部と対向する内壁部を備え、該内壁部から内方向へ向けて突出する内部係止部を備えた構成としたことによって雄体と雌体が弾性的に嵌合し、取付後の耐衝撃性に優れるものとすることができる。また、当該構成によって、環状溝が外面に形成されず、これによってフロアマットの毛足等が内部に侵入することがないから、雄体と雌体の係合を的確に行うことができ、安価でフロアマット等への装着にも適したハトメとすることができる。
【００１５】
また請求項２に係る発明によれば、上記請求項１に係る発明の構成を備えた上で、内壁部における内部係止部の形成位置が高さの異なる複数の箇所に設けたことから、雄体と雌体との係着の際には、二段階に係着が行われることで、より強固な係着力を発揮することができる。また、二段階で係着を行う際に音が発生することで、二回の係合音を確認することで、係合が確実に行えたか否かを確認することができ、確実な取付けの確認性を向上させることができる。
【００１６】
また請求項３に係る発明によれば、上記請求項１又は請求項２に係る発明の構成を備えた上で、切欠部内３にリブを有する構成としたことから、合成樹脂製のハトメでありながら、十分な強度を保ちながら、安価にハトメを提供することができる。
【図面の簡単な説明】
【００１７】
【図１】本発明の実施例１に係る雄ハトメの（ａ）平面図及び（ｂ）正面図。
【図２】本発明の実施例１に係る雄ハトメの（ａ）Ａ−Ａ断面図及び（ｂ）底面図。
【図３】本発明の実施例１に係るハトメにおける（ａ）雄ハトメと雌ハトメを示す断面図、（ｂ）生地に取付けた状態を示す断面図。
【図４】本発明の実施例１に係るハトメとフロアマット固定具の係合端部との関係を示す一部断面図、（ｂ）実施例１に係るハトメとフロアマット固定具の係合端部とを係合した状態を示す一部断面図。
【図５】本発明の実施例２に係る雄ハトメの（ａ）平面図及び（ｂ）正面図。
【図６】本発明の実施例２に係る雄ハトメの（ａ）Ｂ−Ｂ断面図及び（ｂ）Ｃ−Ｃ断面図。
【図７】本発明の実施例２に係るハトメにおける（ａ）雄ハトメと雌ハトメを示す断面図、（ｂ）生地に取付けた状態を示す断面図。
【図８】本発明の実施例２に係るハトメとフロアマット固定具の係合端部との関係を示す一部断面図。
【図９】（ａ）実施例２に係るハトメとフロアマット固定具の係合端部との第一段階の係合状態を示す一部断面図、（ｂ）実施例２に係るハトメとフロアマット固定具の係合端部との第二段階の係合状態を示す一部断面図。
【図１０】実施例２に係るハトメと他のフロアマット固定具の係合端部との関係を示す一部断面図。
【図１１】（ａ）実施例２に係るハトメと他のフロアマット固定具の係合端部の第一段階の係合状態を示す一部断面図、（ｂ）第二段階の係合状態を示す一部断面図。
【発明を実施するための形態】
【００１８】
本発明に係るハトメは、装着対象物を挟着して相互に固着する雄体及び雌体を有し、前記雄体は、外周面に前記雌体との係合手段を有する筒状胴部と該筒状胴部の下端側全周に形成される雄側鍔部とを備え、前記雌体は、雄体の前記筒状胴部の外周面の係合手段に対応する係合手段を有する筒状脚部と該筒状脚部の上端側に雌側鍔部を備えてなるハトメにおいて、ハトメ雄体の筒状胴部の上端縁から連続して内側下方へ向けて形成され前記筒状胴部と対向する内壁部を備え、該内壁部から内方向へ向けて突出する内部係止部を備えた構成としたことによって雄体と雌体が弾性的に嵌合し、内壁部における内部係止部の形成位置が高さの異なる複数の箇所に設け、切欠部内にリブを有する構成としたことから、環状溝が外面に形成されず、これによってフロアマットの毛足等が内部に侵入することがないから、雄体と雌体の係合を的確に行うことができ、雄体と雌体との係着の際には、二段階に係着が行われることで、より強固な係着力を発揮することができる。また、二段階で係着を行う際に音が発生することで、二回の係合音を確認し得、係合が確実に行えたか否かを確認することができる。
【実施例１】
【００１９】
本発明の実施例１に係るハトメは、図１乃至図４に示すように、ハトメ雄体１とハトメ雌体２によって構成されている。以下、ハトメ雄体１及びハトメ雌体２の各構成について説明する。
【００２０】
本発明の実施例１のハトメＨを構成するハトメ雄体１は、図１及び図２に示すように、外周面１０ａに前記雌体２との係合手段となる拡径部１４を有する筒状胴部１０と、該筒状胴部１０の下端側全周に形成される雄側鍔部１１とを備え、雄側中央穴１２を備えた基本構成を有する。
【００２１】
前記ハトメ雄体１は、前記筒状胴部１０の上端縁１０ｂから連続して内側下方へ向けて形成され前記筒状胴部１０と対向する内壁部１５を備える。
そして、当該内壁部１５から内方向へ向けて突出する内部係止部１６を備える。図２に示すように、内壁部１５の下端位置は、概ね拡径部１４と同程度の高さ位置に設定されている。また、内壁部１５の下端に開口するように、縦方向に切欠部１３を形成しており、該切欠部１３は内部係止部１５を複数に分離し切欠部内３にリブ１７を有する構成としている。当該構成によって、切欠部１３間に配置される各内壁部１５は上縁側を支点として、自由端となる下端側が撓り易くなる。一方で、前記リブ１７は撓ることがなく、雄側中央穴１２内にフロアマットの固定具３の先端等を差込む際にズレを生じないようにガイドする機能を有する。
【００２２】
次に本発明の実施例１のハトメＨを構成するハトメ雌体２は、図３（ａ）にその断面図を示すように、基本構成として、前記ハトメ雄体１の前記筒状胴部１０の外周面１０ａの拡径部１４に対応する係合手段を有する筒状脚部２０と、該筒状脚部２０の上端側に雌側鍔部２１を備えたものである。
また、筒状脚部２０の内側の下端には、内周面２０ａに沿って、係合爪２０ｂが形成されている。
【００２３】
以上の構成のハトメ雄体１及びハトメ雌体２を、図３に示すようにフロアマットに形成された穴の位置で係止させる。
【００２４】
以上の構成のようにフロアマット等に対してハトメＨを固着した状態において、図４に示すように、フロアマット固定具３の先端をハトメＨの中央穴に対して係止させることができる。
即ち、図４（ａ）に示すように、ハトメの下面側からフロアマット固定具３の先端をハトメＨの中央穴に差込み、その係合端部３０をハトメの内部係止部１６と係合させる。
【実施例２】
【００２５】
本発明の実施例２に係るハトメＨは、図５乃至図９に示すように、ハトメ雄体１とハトメ雌体２によって構成されている。以下、ハトメ雄体１及びハトメ雌体２の各構成について説明する。尚、本実施例２の構成については、上記実施例１の構成と比較して、ハトメ雄体１における内壁部１５の形状とこれに対応するハトメ雌体２の形状にある。
【００２６】
本発明の実施例２のハトメＨを構成するハトメ雄体１は、図５及び図６に示すように、外周面１０ａに前記雌体２との係合手段となる拡径部１４を有する筒状胴部１０と、該筒状胴部１０の下端側全周に形成される雄側鍔部１１とを備えた基本構成を有する点で、上記実施例１と共通する。
【００２７】
また、前記ハトメ雄体１は、前記筒状胴部１０の上端縁１０ｂから連続して内側下方へ向けて形成され前記筒状胴部１０と対向する内壁部１５を備える。本実施例２に係るハトメ雄体１の内壁部１５は、実施例１と異なりハトメ雄体１の下端まで延設されている。
そして、当該内壁部１５から内方向へ向けて突出する内部係止部１６を備えるが、図６に示すように、上下方向に異なる二つの高さ位置に内部係止部１６を配置した構成である。
また、実施例１と同様に、内壁部１５の下端に開口するように、縦方向に切欠部１３を形成しており、該切欠部１３は内部係止部１５を複数に分離し、切欠部内３にリブ１７を有する構成としている。
【００２８】
本発明の実施例２に係るハトメＨを構成するハトメ雌体２は、実施例１に係るハトメ雌体２と寸法上の差はあるものの実質的に同一の構成のものを使用している。即ち、ハトメ雄体１の前記筒状胴部１０の外周面１０ａの拡径部１４に対応する係合手段を有する筒状脚部２０と、該筒状脚部２０の上端側に雌側鍔部２１を備え、筒状脚部２０の内側の下端には、内周面２０ａに沿って、係合爪２０ｂが形成したものである。
【００２９】
以上の構成のハトメ雄体１及びハトメ雌体２を、図７に示すようにフロアマットに形成された穴の位置で係合させる。
【００３０】
以上の構成のようにフロアマット等に対してハトメＨを固着した状態において、図８に示すように、フロアマット固定具３の先端をハトメＨの中央穴に対して係止させることができる。
ここで、本実施例２においては、図６に示すように、上下方向に異なる二つの高さ位置に内部係止部１６を配置した構成であることから、図９（ａ）、（ｂ）に示す二段階の係止状態によって、係合させる。このため、対応するフロアマット固定具３の係合端部３０には、内部係止部１６二段階の係止に対応した係合部３１が設けられている。
【００３１】
ここで、上下の内部係止部１６間の高さｄ１と上下の係合部３１間の高さｄ２は一致させるものとしている。しかしながら、当該構成に限らず、例えば、フロアマット固定具３が弾性を有する場合等には、上下の内部係止部１６間の高さｄ１よりも上下の係合部３１間の高さｄ２を大きくすることができる。
【００３２】
このような場合には、第二の押込みによって先に上端側の内部係止部１６と係合部３１とが係合し、下端側では係合部３１が内部係止部１６に係合しない状態となり、底から更にフロアマット固定具３の先端を押込むことにより当該フロアマット固定具３の先端が弾性変形し、下端側の係合部３１と内部係止部１６が係合する構成とすることができる。この係合状態によっては弾性変形状態で係合が保持されるため、係合部３１と内部係止部１６の係合がより強固に保持させることができる。
【００３３】
そして、二段階の係止状態を実現することによって、係止による音と振動が二回発生し、より明瞭に係止状態を確認できる。
【００３４】
また、フロアマット固定具３の先端形状については何ら限定するものではなく、例えば、図１０及び図１１に示すように、本実施例２のハトメに対し、単独の拡径頭部３２を有し、該拡径頭部３２を係合部として用いることができる。
【００３５】
当該構成においては、拡径頭部３２が下側の内部係止部との係止、及び、上側の内部係止部との係止の際に、夫々（即ち、合計二回の）音と振動を生じ、明瞭に係止状態を確認することができる。
【００３６】
また、本発明によれば、上記実施例に限定するものではなく、例えば内側係止部１６と係合部３１とを上下三箇所以上として設け、三段階以上で係止させることもできる。
【符号の説明】
【００３７】
１        ハトメ雄体
１０      筒状胴部
１０ａ    外周面
１０ｂ    上端縁
１１      雄側鍔部
１２      雄側中央穴
１３      切欠部
１４      拡径部
１５      内壁部
１６      内部係止部
１７      リブ
２        ハトメ雌体
２０      筒状脚部
２０ａ    内周面
２０ｂ    係合爪
２１      雌側鍔部
３        フロアマット固定具
３０      係合端部
３１      係合部
３２      拡径頭部
ｄ１      高さ
ｄ２      高さ
Ｈ        ハトメ
Ｓ        フロアマット
【図１】
2014064823.tif 000003
【図２】
2014064823.tif 000004
【図３】
2014064823.tif 000005
【図４】
2014064823.tif 000006
【図５】
2014064823.tif 000007
【図６】
2014064823.tif 000008
【図７】
2014064823.tif 000009
【図８】
2014064823.tif 000010
【図９】
2014064823.tif 000011
【図１０】
2014064823.tif 000012
【図１１】
2014064823.tif 000013